(57)【特許請求の範囲】
【請求項１】
コンピュータを、
外部電話機と宅内の電話機に接続する通話制御装置によって生成され、前記外部電話機と前記電話機との通話の開始時間、終了時間および発着信電話番号を対応づけるログデータを参照して、単位時間毎の通話状況を示す通話状況データを生成する生成部と、
前記通話状況データの分析結果を出力する出力部
として機能させ、
前記出力部は、
前記単位時間毎に利用された電話回線数が、前記通話制御装置が利用可能な最大電話回線数となる単位時間数が、所定値よりも大きい場合、最大電話回線数を増やすコメントを出力する
分析プログラム。
【請求項２】
コンピュータを、
外部電話機と宅内の電話機に接続する通話制御装置によって生成され、前記外部電話機と前記電話機との通話の開始時間、終了時間および発着信電話番号を対応づけるログデータを参照して、単位時間毎の通話状況を示す通話状況データを生成する生成部と、
前記通話状況データの分析結果を出力する出力部
として機能させ、
前記通話制御装置が、電話番号毎に電話回線数を割り当て、電話番号の同時通話数が、割り当てられた電話回線数を超えないように制御する場合、
前記出力部は、
前記単位時間および前記電話番号毎に利用された電話回線数が、前記電話番号に割り当てられた電話回線数となる単位時間数が、所定値よりも大きい場合、前記電話番号に割り当てる電話回線数を増やす指示を出力する
分析プログラム。
【請求項３】
前記出力部は、さらに、
前記通話状況データを参照して、前記通話の少ない時間を特定し、前記特定された時間を、前記指示に基づいて前記通話制御装置を設定する時間として出力する
請求項２に記載の分析プログラム。
【発明の詳細な説明】
【技術分野】
【０００１】
本発明は、分析プログラムに関する。
【背景技術】
【０００２】
会社などの宅内において、宅内の電話機の通話を制御する通話制御装置が用いられる場合がある。通話制御装置は、ビジネスゲートウェイとも称される。通話制御装置は、会社が契約する複数の電話回線を使って、外部電話機と宅内の電話機間の複数の通話を中継し、制御する。
【０００３】
宅内の通話ネットワークにおいて、電話会社と契約する電話回線数などの様々な設定がある。通話ネットワークの解析により、適切な値への設定が求められる。
【０００４】
ネットワーク上を流れるパケットをキャプチャしたパケットデータを記載したキャプチャデータを解析するキャプチャデータ解析装置がある（例えば特許文献１）。キャプチャデータ解析装置は、キャプチャデータから抽出したパケットデータを解析して、セッション毎のエラー数を出力する。
【先行技術文献】
【特許文献】
【０００５】
【特許文献１】特開２０１５−１１５７２９号公報
【発明の概要】
【発明が解決しようとする課題】
【０００６】
しかしながら、特許文献１に記載のキャプチャデータ解析装置は、パケットをキャプチャすることから、キャプチャデータ解析装置を設置する際、ネットワークを切断し、通話が遮断される場合がある。あるいは、通話が発生しない時間に設置しなければならない場合がある。このように、キャプチャデータ解析装置でネットワークを解析する際、負担が生じる場合がある。
【０００７】
従って本発明の目的は、ネットワークを遮断することなく、通話状況を解析する技術を提供することである。
【課題を解決するための手段】
【０００８】
上記課題を解決するために、本発明の一態様の分析プログラムは、コンピュータを、外部電話機と宅内の電話機に接続する通話制御装置によって生成され、外部電話機と電話機との通話の開始時間、終了時間および発着信電話番号を対応づけるログデータを参照して、単位時間毎の通話状況を示す通話状況データを生成する生成部と、通話状況データの分析結果を出力する出力部として機能させる。
【発明の効果】
【０００９】
本発明によれば、ネットワークを遮断することなく、通話状況を解析する技術を提供することができる。
【図面の簡単な説明】
【００１０】
【図１】第１の実施の形態に係る分析装置が用いられる通話システムを説明する図である。
【図２】第１の実施の形態に係る分析装置のハードウエア構成と機能ブロックを説明する図である。
【図３】ログデータのデータ構造とデータの一例を説明する図である。
【図４】第１の実施の形態に係る通話状況データのデータ構造とデータの一例を説明する図である。
【図５】単位時間あたりの通話回線数の一例を説明する図である。
【図６】コメント出力部によるコメント出力処理を説明するフローチャートである。
【図７】割り当てデータのデータ構造とデータの一例を説明する図である。
【図８】第２の実施の形態に係る分析装置のハードウエア構成と機能ブロックを説明する図である。
【図９】第２の実施の形態に係る通話状況データのデータ構造とデータの一例を説明する図である。
【図１０】指示出力部による指示出力処理を説明するフローチャートである。
【発明を実施するための形態】
【００１１】
次に、図面を参照して、本発明の実施の形態を説明する。以下の図面の記載において、同一または類似の部分には同一または類似の符号を付している。
【００１２】
（第１の実施の形態）
図１および図２を参照して、第１の実施の形態に係る分析装置１を説明する。分析装置１は、図１に示す通話システム７の通話制御装置２のログデータ１１を取得する。分析装置１は、取得したログデータ１１から、宅内通話ネットワーク６に接続した電話機４の使用状況を分析する。
【００１３】
通話制御装置２は、例えば会社等の宅内に設けられる。通話制御装置２は、通話ネットワーク５を介して外部電話機３に接続し、宅内通話ネットワーク６を介して宅内の電話機４に接続する。通話制御装置２は、外部電話機３と宅内の電話機４との通話を、中継し制御する。通話制御装置２は、ＯＮＵ（Optical Network Unit）（図示せず）によって終端された外部電話機３との通話を、宅内の電話機４に接続しても良い。
【００１４】
図１には示さないが、通話ネットワーク５に、ＳＩＰ（Session Initiation Protocol）サーバまたは電話交換機等が接続する。ＳＩＰサーバまたは電話交換機は、外部電話機３と通話制御装置２との通話を制御する。宅内通話ネットワーク６は、ビジネスホンの主装置（図示せず）などに接続しても良い。通話制御装置２は、主装置を介して、宅内の電話機４と接続しても良い。
【００１５】
通話制御装置２は、通話ネットワーク５と１以上の通話回線で接続される。通話回線の数は、物理的な回線数ではなく、通話制御装置２に割り当てられる回線数である。通話制御装置２は、多重化により複数の通話回線に接続しても良い。通話制御装置２は、複数の外部電話機３と複数の宅内の電話機４との複数の通話を同時に制御することもできる。
【００１６】
一般的に通話制御装置２が制御可能な通話数は、通話制御装置２が処理可能な電話回線数と、通話制御装置２を利用する加入者が電話会社と契約する電話回線数のうち、いずれか少ない電話回線数に拘束される。本発明の実施の形態において通話制御装置２が処理可能な電話回線数は、通話制御装置２を利用する加入者が電話会社と契約する電話回線数よりも多い。通話制御装置２が制御可能な通話数は、通話制御装置２を利用する加入者が電話会社と契約する電話回線数に拘束される。
【００１７】
通話制御装置２は、外部電話機３と電話機４との通話に関するログデータ１１を生成し、生成したログデータ１１を分析装置１に提供する。ログデータ１１は、例えば、外部電話機３と電話機４との通話の記録である。ログデータ１１は、宅内の電話機４が発信する通話と、宅内の電話機４に着信する通話の両方の通話を記録する。
【００１８】
分析装置１は、記憶装置１０、処理装置２０および入出力インタフェース３０を備える。分析装置１は、記憶装置１０、処理装置２０および入出力インタフェース３０を内蔵する一つのコンピュータであっても良いし、複数のハードウエアにより形成される仮想的なコンピュータであっても良い。このようなコンピュータが分析プログラムを実行することにより、図２に示す機能を実現する。
【００１９】
記憶装置１０は、ＲＯＭ（Read Only Memory）、ＲＡＭ（Random access memory）、ハードディスク等であって、処理装置２０が処理を実行するための入力データ、出力データおよび中間データなどの各種データを記憶する。処理装置２０は、ＣＰＵ（Central Processing Unit）であって、記憶装置１０に記憶されたデータを読み書きしたり、入出力インタフェース３０とデータを入出力したりして、分析装置１における処理を実行する。入出力インタフェース３０は、マウス、キーボード等の入力装置から入力されたデータを処理装置２０に入力し、処理装置２０から出力されたデータをプリンタ、表示装置等の出力装置に出力する。また入出力インタフェース３０は、ほかのコンピュータと通信するためのインタフェースであってもよい。
【００２０】
本発明の実施の形態において分析プログラムは、ＣＤ、ＤＶＤまたはＵＳＢメモリ等の記録媒体に記録されて、入出力インタフェース３０を介して、記憶装置１０に記憶される。分析プログラムは、通信ネットワークを介してサーバからダウンロードされても良い。
【００２１】
記憶装置１０は、分析プログラムを記憶するとともに、ログデータ１１および通話状況データ１２を記憶する。
【００２２】
ログデータ１１は、通話制御装置２によって生成される。ログデータ１１は、外部電話機３と電話機４との通話の開始時間、終了時間および発着信電話番号等を対応づける。ログデータ１１は、図３に示すように、通話の発電話番号および着電話番号と、その通話の開始時間および終了時間を対応づける。発電話番号および着電話番号のいずれか一方に、外部電話機３の電話番号が設定され、もう一方に、宅内の電話機４の電話番号が設定される。
【００２３】
通話状況データ１２は、後述の生成部２２によって生成される。通話状況データ１２は、単位時間毎の通話状況を示す。通話状況は、例えば通話回線数、呼量等である。通話状況データ１２は、図４に示すように、時間と、その時間における通話回線数を対応づける。
【００２４】
処理装置２０は、取得部２１、生成部２２および出力部２３を備える。
【００２５】
取得部２１は、通話制御装置２からログデータ１１を取得して、記憶装置１０に記憶する。取得部２１は、ＣＤ、ＤＶＤまたはＵＳＢメモリ等の記録媒体に記録されたログデータ１１を、入出力インタフェース３０を介して取得し、記憶装置１０に記憶する。取得部２１は、通話制御装置２と接続する通信ネットワークを介して、ログデータ１１を取得しても良い。
【００２６】
生成部２２は、ログデータ１１を参照して、単位時間毎の通話状況を示す通話状況データ１２を生成する。単位時間は、１つの通話に要する時間よりも充分に短い時間である。生成部２２は、ログデータ１１を参照して、単位時間毎の通話回線数、呼量等の通話状況を算出する。生成部２２は、算出した単位時間毎の通話状況を、通話状況データ１２に記憶する。
【００２７】
生成部２２は、例えば、ログデータ１１から、電話機４が設置された会社の営業日における通話履歴を統計処理して、例えば図５に示すような営業日における単位時間毎の通話回線数を特定する。図５示すグラフは、約７−２０時の営業時間において電話回線が利用されていること、１２時前後の昼休み時間において、利用される電話回線数が減ること、午前および午後に通話制御装置２が制御可能な電話回線数のすべてが用いられる時間があることを示す。
【００２８】
出力部２３は、通話状況データ１２の分析結果を出力する。第１の実施の形態において出力部２３は、コメント出力部２４を備える。コメント出力部２４は、通話状況データ１２を参照して、単位時間毎に利用された電話回線数が、通話制御装置２が利用可能な最大電話回線数となる単位時間数が、所定値よりも大きい場合、最大電話回線数を増やすコメントを出力する。ここで、最大電話回線数は、通話制御装置２が電話会社から割り当てられた電話回線数を意味する。
【００２９】
コメント出力部２４は、通話状況データ１２を参照して、単位時間毎に利用された電話回線数が、最大電話回線数となる時間を特定する。例えば図５に示す例では、午前および午後に通話制御装置２が制御可能な電話回線数のすべてが用いられている時間がある。
【００３０】
コメント出力部２４は、通話制御装置２が制御可能な電話回線数のすべてが用いられている時間が、予め定めた所定値よりも大きい場合、通話制御装置２が制御可能な電話回線数を増やすコメントを出力する。コメント出力部２４は、通話制御装置２が制御可能な電話回線数のすべてが用いられている時間が、予め定めた所定値よりも小さい場合、通話制御装置２が制御可能な電話回線数を減らすコメントを出力する。
【００３１】
ここで、電話回線数を増やすコメントを出力する際に参照される所定値と、電話回線数を減らすコメントを出力する際に参照される所定値は、異なっても良い。コメント出力部２４は、通話制御装置２が制御可能な電話回線数のすべてが用いられている時間が、予め定めた第１の所定値よりも大きい場合、通話制御装置２が制御可能な電話回線数を増やすコメントを出力する。コメント出力部２４は、通話制御装置２が制御可能な電話回線数のすべてが用いられている時間が、予め定めた第２の所定値（＜第１の所定値）よりも小さい場合、通話制御装置２が制御可能な電話回線数を減らすコメントを出力する。コメント出力部２４は、通話制御装置２が制御可能な電話回線数のすべてが用いられている時間が、予め定めた第１の所定値よりも小さく、第２の所定値よりも大きい場合、通話制御装置２が制御可能な電話回線数が適切であるとのコメントを出力する。
【００３２】
本発明の実施の形態において、電話回線数に基づいて最大電話回線数を増減するコメントを出力する場合を説明するが、これに限られない。コメント出力部２４は、例えば、呼量等の他の指標から、単位時間毎に利用された電話回線数が、通話制御装置２が利用可能な最大電話回線数となる単位時間数を算出して、所定値と比較しても良い。
【００３３】
図６を参照して、コメント出力部２４によるコメント出力処理を説明する。図６では、電話回線数を増やすコメントを出力する処理を示す。
【００３４】
まずステップＳ１１においてコメント出力部２４は、最大電話回線数となる単位時間数が、所定値よりも大きいか否かを判定する。所定値よりも大きい場合、ステップＳ１２においてコメント出力部２４は、最大電話回線数を増やすコメントを出力する。
【００３５】
最大電話回線数は、通話制御装置２の加入者と電話会社との契約により定められるので、コメント出力部２４は、最大電話回線数を増やす提案を出力し、加入者に契約の変更を促す。回線数を増やすか否かは、通話制御装置２の加入者に依る。
【００３６】
このような第１の実施の形態に係る分析装置１は、通話制御装置２におけるログデータ１１を解析して、宅内の電話機４の使用状況を分析することができる。パケットキャプチャ装置等の新たな装置を設置することなく、分析装置１は、既存の通話制御装置２からログデータ１１を取得する。分析装置１は、ネットワークを遮断することなく、通話ネットワークの使用状況を把握することが可能になる。
【００３７】
一般的に、通話制御装置２が制御可能な最大電話回線数を超えて発信が発生した場合、通話ネットワーク５内において発信が拒否される。通話制御装置２が制御可能な最大電話回線数を超えて発信が発生したことは、通話ネットワーク５における分析によってのみ、把握することができる。通話ネットワーク５の使用状況は、電話会社を経て提供されるので、通話制御装置２は、最大電話回線数を超えて発信が発生しているか否かを容易に把握することはできない。
【００３８】
これに対し本発明の実施の形態に係る分析装置１は、通話制御装置２が制御した通話のログデータ１１から電話機４の使用状況を分析する。分析装置１は、宅内の電話機４によって使用される電話回線数が、最大電話回線数となる時間量から、通話制御装置２の制御対象の電話回線数が適切か否かを判定し、加入者に電話回線数の増減をコメントすることができる。
【００３９】
このように分析装置１は、通話ネットワーク５における分析を経なくても、通話制御装置２の制御対象の適切な電話回線数を提案することができる。分析装置１は、会社等が、適切な通話回線数で契約するように促すことができる。
【００４０】
このように第１の実施の形態に係る分析装置１は、ネットワークを遮断することなく、通話状況を解析することができる。
【００４１】
（第２の実施の形態）
第１の実施の形態において、通話制御装置２のログデータ１１から、宅内の電話機４の使用状況を分析して、最大電話回線数の増減を提案するコメントを出力する場合を説明した。これに対し第２の実施の形態において分析装置１は、通話制御装置２における電話番号毎の電話回線数の割り当ての適否を分析して、電話番号毎の適切な割り当て数を出力する。
【００４２】
第２の実施の形態において通話制御装置２は、複数の電話番号および複数の電話回線を制御する。通話制御装置２は、電話番号毎に電話回線数を割り当て、電話番号の同時通話数が、割り当てられた電話回線数を超えないように制御する。例えば会社の部署毎に電話番号が割り当てられ、その電話番号に１以上の電話回線が割り当てられる。また宅内の電話機４はそれぞれ、その電話機４が属する部署によって、電話番号が割り当てられる。
【００４３】
通話制御装置２は、図７に示すように、予め電話番号毎の電話回線数が定められている場合、予め定められた電話回線数を超えないように、外部電話機３と電話機４との通話を制御する。図７に示す各電話番号は、例えば、会社の部署などに紐付けられる。
【００４４】
例えば図７の割り当てデータにおいて、電話番号の末尾１について、３つの電話回線が割り当てられる。電話番号の末尾１について３つの通話が維持されている状態で、新たに外部電話機３から電話番号の末尾１に着信した場合、通話制御装置２は、その新たな通話を拒否する。電話番号の末尾１以外の電話番号について、使われていない電話回線がある場合でも、通話制御装置２は、その新たな通話を拒否する。
【００４５】
図８を参照して、第２の実施の形態に係る分析装置１ａを説明する。図８に示す分析装置１ａは、図２を参照して説明した第１の実施の形態に係る分析装置１と比べて、通話状況データ１２ａ、生成部２２ａおよび出力部２３ａが異なる。
【００４６】
通話状況データ１２ａは、第１の実施の形態と同様に、単位時間毎の通話状況を示す。第２の実施の形態において通話状況データ１２ａは、図９に示すように、単位時間毎の通話状況が、通話制御装置２が制御する電話番号毎に算出される点が異なる。図９に示す通話状況データ１２ａは、図４に示す通話状況データ１２と比べて、通話状況の通話回線数が、電話番号毎に集計されている点が異なる。
【００４７】
生成部２２ａは、ログデータ１１を参照して、単位時間毎の通話状況を示す通話状況データ１２ａを生成する。生成部２２ａは、ログデータ１１を参照して、通話制御装置２が制御する電話番号ごとに通話状況を分析する。生成部２２ａは、単位時間および電話番号毎に利用された電話回線数を集計して、通話状況データ１２ａを生成する。第２の実施の形態においても、第１の実施の形態と同様に、通話状況として、例えば通話回線数、呼量等を用いても良い。
【００４８】
出力部２３ａは、指示出力部２５を備える。指示出力部２５は、単位時間および電話番号毎に利用された電話回線数が、電話番号に割り当てられた電話回線数となる単位時間数が、所定値よりも大きい場合、電話番号に割り当てる電話回線数を増やす指示を出力する。また指示出力部２５は、単位時間および電話番号毎に利用された電話回線数が、電話番号に割り当てられた電話回線数となる単位時間数が、所定値よりも小さい場合、電話番号に割り当てる電話回線数を減らす指示を出力する。
【００４９】
指示出力部２５は、電話回線数を変更する指示を、通話制御装置２に出力する。指示出力部２５は、通信ネットワークを介して電話回線数を変更する指示を、通話制御装置２に出力しても良い。指示出力部２５は、電話回線数を変更する指示を、ＣＤ、ＤＶＤまたはＵＳＢメモリ等の記録媒体に記録し、記録媒体に記録された指示を、通話制御装置２に読み出させても良い。
【００５０】
第２の実施の形態において、通話制御装置２は、電話番号毎に電話回線数を割り当て、電話番号の同時通話数が、割り当てられた電話回線数を超えないように制御する。指示出力部２５は、電話番号毎の通話状況を解析して、通話制御装置２における電話番号毎の電話回線数の割り当てを適切に変更する。指示出力部２５は、電話番号毎の変更後の電話回線数を、通話制御装置２に出力する。通話制御装置２は、指示出力部２５からの指示に従って、電話番号の同時通話数が、変更後の電話回線数を超えないように、通話を制御する。
【００５１】
宅内通話ネットワーク６にビジネスホンの主装置が接続され、主装置が、電話番号毎に電話回線数を割り当て、電話番号の同時通話数が、割り当てられた電話回線数を超えないように制御する場合もある。この場合、指示出力部２５は、電話回線数を変更する指示を、通話制御装置２とビジネスホンの主装置に出力しても良い。主装置は、通話制御装置２と同様に、指示出力部２５からの指示に従って、電話番号の同時通話数が、変更後の電話回線数を超えないように、通話を制御する。
【００５２】
指示出力部２５は、通話制御装置２が制御する一部の電話番号について、電話回線数の適否を判断しても良いし、各電話番号について、電話回線数の適否を判断しても良い。また指示出力部２５は、各電話番号の変更後の電話回線数の合計が、通話制御装置２が制御可能な電話回線数を超えないように、各電話番号に割り当てる電話回線数を調整する。
【００５３】
第２の実施の形態においても、第１の実施の形態と同様に、電話回線数を増やす指示を出力する際に参照される所定値と、電話回線数を減らす指示を出力する際に参照される所定値は異なっても良い。指示出力部２５は、単位時間および電話番号毎に利用された電話回線数が、電話番号に割り当てられた電話回線数となる単位時間数が、第１の所定値よりも大きい場合、電話番号に割り当てる電話回線数を増やす指示を出力する。また指示出力部２５は、単位時間および電話番号毎に利用された電話回線数が、電話番号に割り当てられた電話回線数となる単位時間数が、第２の所定値（＜第１の所定値）よりも小さい場合、電話番号に割り当てる電話回線数を減らす指示を出力する。指示出力部２５は、単位時間および電話番号毎に利用された電話回線数が、電話番号に割り当てられた電話回線数となる単位時間数が、第１の所定値よりも小さく、第２の所定値よりも大きい場合、電話番号に割り当てる電話回線数を変更しない指示を出力する。
【００５４】
指示出力部２５は、通話状況データ１２ａを参照して、通話の少ない時間を特定し、特定された時間を、電話番号に割り当てる電話回線数を変更する指示に基づいて通話制御装置を設定する時間として出力しても良い。指示出力部２５は、例えば、電話番号に割り当てる電話回線数を変更するために必要な時間、通話のない時間を特定する。
【００５５】
電話番号に割り当てる電話回線数を変更する際、通話制御装置２は、一時的に通話の制御を中止して、設定を変更する必要がある。そこで、指示出力部２５は、通話状況データ１２ａから通話の少ない時間を特定し、その時間を、電話番号に割り当てる電話回線数を変更する時間として指定する。通話制御装置２は、分析装置１から指定された時間に、電話番号に割り当てる電話回線数を変更する。これにより、会社等の営業を妨害せずに、電話番号毎の電話回線数を適切に変更することができる。
【００５６】
通話制御装置２が、設定プログラム等により自発的に電話回線数の割り当ての変更が可能な場合、分析装置１から指定された時間に、電話番号に割り当てる電話回線数を変更する。これにより、早朝または深夜等の会社等の営業がない時間でも、作業員を配置せずに、通話制御装置２は、新たな設定で運用することができる。
【００５７】
図１０を参照して、指示出力部２５による指示出力処理を説明する。
【００５８】
指示出力部２５は、通話制御装置２の制御対象の各電話番号について、ステップＳ２１ないしステップＳ２３の処理を繰り返す。ステップＳ２１において指示出力部２５は対象電話番号について、最大電話回線数となる単位時間数が、所定値よりも大きいか否かを判定する。所定値より大きい場合、ステップＳ２２において指示出力部２５は、対象電話番号の割り当て電話回線数を増やす。所定値より小さい場合、ステップＳ２３において指示出力部２５は、対称電話番号の割り当て電話回線数を減らす。
【００５９】
通話制御装置２の制御対象の各電話番号について、ステップＳ２１ないしステップＳ２３の処理が終了すると、ステップＳ２４に進む。ステップＳ２４において指示出力部２５は、ステップＳ２２またはステップＳ２３における増減後の割り当て電話回線数の合計が、最大回線数を超えないように、各電話番号の割り当て電話回線数を調整する。
【００６０】
ステップＳ２５において指示出力部２５は、通話の少ない時間を特定する。ステップＳ２６において指示出力部２５は、特定された時間に、割り当て電話回線数を変更する指示データを作成して出力する。指示データは、通話が少ないと特定された時間、および電話番号毎の変更後の回線数を含む。作成された指示データは、通話制御装置２に入力される。通話制御装置２は、指示データに従って、特定された時間に、各電話番号の割り当て電話回線数の設定を変更する。
【００６１】
第２の実施の形態において分析装置１ａは、電話番号毎に割り当てられている電話回線数が適切であるか否かを分析し、適切な電話回線数を特定する。また分析装置１ａは、通話の少ない時間を特定し、その時間に電話回線数を変更する指示を出力する。通話制御装置２が配置される会社への影響を抑制することができる。
【００６２】
（変形例）
第１の実施の形態および第２の実施の形態において、宅内通話ネットワーク６に主装置が接続され、通話制御装置２と主装置とが別々の筐体である場合について言及した。これに対し変形例において、通話制御装置２の機能が、ビジネスホンの主装置に実装される場合を説明する。
【００６３】
ビジネスホンの主装置は、複数の外部電話機３と複数の宅内の電話機４との複数の通話を同時に制御する。ビジネスホンの主装置が制御可能な通話数は、主装置を利用する加入者が電話会社と契約する電話回線数に拘束される。
【００６４】
主装置は、外部電話機３と電話機４との通話に関するログデータ１１を生成し、生成したログデータ１１を分析装置１に提供する。
【００６５】
主装置が、電話番号毎に電話回線数を割り当て、電話番号の同時通話数が、割り当てられた電話回線数を超えないように制御する場合もある。この場合、分析装置１の指示出力部２５は、電話回線数を変更する指示を、ビジネスホンの主装置に出力する。主装置は、指示出力部２５からの指示に従って、電話番号の同時通話数が、変更後の電話回線数を超えないように、通話を制御する。
【００６６】
このように本発明の実施の形態に係る通話制御装置は、他の装置上に実装されても良い。
【００６７】
（その他の実施の形態）
上記のように、本発明の第１および第２の実施の形態によって記載したが、この開示の一部をなす論述および図面はこの発明を限定するものであると理解すべきではない。この開示から当業者には様々な代替実施の形態、実施例および運用技術が明らかとなる。
【００６８】
例えば、本発明の実施の形態に記載した分析装置は、図１に示すように一つのハードウエア上に構成されても良いし、その機能や処理数に応じて複数のハードウエア上に構成されても良い。また、既存の情報処理システム上に実現されても良い。
【００６９】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００７０】
１  分析装置
２  通話制御装置
３  外部電話機
４  電話機
５  通話ネットワーク
６  宅内通話ネットワーク
７  通話システム
１０  記憶装置
１１  ログデータ
１２  通話状況データ
２０  処理装置
２１  取得部
２２  生成部
２３  出力部
２４  コメント出力部
２５  指示出力部
３０  入出力インタフェース
【要約】
【課題】ネットワークを遮断することなく、通話状況を解析する。
【解決手段】分析プログラムは、コンピュータを、外部電話機３と宅内の電話機４に接続する通話制御装置２によって生成され、外部電話機３と電話機４との通話の開始時間、終了時間および発着信電話番号を対応づけるログデータを参照して、単位時間毎の通話状況を示す通話状況データ１２を生成する生成部２２と、通話状況データ１２の分析結果を出力する出力部２３として機能させる。
【選択図】図１【図１】
0006782822.tif 000002
【図２】
0006782822.tif 000003
【図３】
0006782822.tif 000004
【図４】
0006782822.tif 000005
【図５】
0006782822.tif 000006
【図６】
0006782822.tif 000007
【図７】
0006782822.tif 000008
【図８】
0006782822.tif 000009
【図９】
0006782822.tif 000010
【図１０】
0006782822.tif 000011